(57)【要約】【課題】本発明は、カウンターの奥行きや幅を自由に変えることができるようにし、ブラケットとカウンター及び壁面や鏡面とカウンターとの接触部分に水や塵が溜まり当該部分が汚れることを防止し、及びカウンターを安定的に支持することができるカウンターの構造を提供することを課題とするものである。【解決手段】上記課題を解決するため、壁面、或いは鏡面等から前方へ略水平に固定された棒状部材、該棒状部材上に、カウンター載置具を介し、棒状部材及び壁面等に対し間隔を設けてカウンター取り付けたものである。【選択図】　図２
2004024773.tif 000002
【特許請求の範囲】
【請求項１】
壁面等から前方へ略水平に固定された棒状部材、該棒状部材上に、カウンター載置具を介し、棒状部材及び壁面等に対し間隔を設けてカウンターを取り付けてなることを特徴するカウンターの構造。
【請求項２】
棒状部材は、壁面等に固定するための固定手段と、カウンター載置具を取り付ける貫通孔を設けた凹部からなることを特徴とする請求項１記載のカウンターの構造。
【請求項３】
棒状部材に設けた凹部に、凹部の形状に合致した断面形状の柱状体からなるカウンター載置具を嵌合或いは螺合し、棒状部材の凹部、カウンター載置具、及びカウンターの夫々に設けた貫通孔を貫通する固定具と、カウンターの貫通孔に嵌入される被覆部材とにより、カウンターを固定してなることを特徴とする請求項１又は２記載のカウンターの構造。
【請求項４】
カウンターの奥行きに応じて適宜長さの棒状部材が採用され、その各々には凹部が１箇所から数箇所必要に応じて形成され、該凹部に対応してカウンターに貫通孔を形成してなることを特徴とする請求項１〜３の何れか１記載のカウンターの構造。
【請求項５】
被覆部材は、断面ハット型状からなり、その中央部には螺着部が形成され、蓋となる上面板はその周囲から突出した鍔部が形成され、該鍔部の裏面側をカウンターの表面に当接するようにしてカウンターの貫通孔内に嵌入してなることを特徴とする請求項３又は４記載のカウンターの構造。
【請求項６】
カウンターを縦方向に固定し、スクリーン部材として使用してなることを特徴とする請求項１〜５の何れか１記載のカウンターの構造。
【発明の詳細な説明】
【０００１】
【発明が属する技術分野】
本発明は、化粧室、浴室等において石鹸入れやシャンプー等の小物を載置するための載置棚（以下カウンターという）の構造に関するものである。
【０００２】
【従来の技術】
従来より、化粧室、浴室等におけるカウンターは、鏡等の他の製品と一体的に形成されている構造のもの、壁面にブラケット等を固定し、該ブラケットを利用してカウンターを支持する構造のもの等があった。
上記前者のものにあっては、鏡等の他の製品と一体的に形成されているので、当該カウンターの幅や奥行きを自由に変えることは不可能であった。
【０００３】
また、後者のものにあっては、ブラケット等により直接カウンターが支持されるので鏡等の他の製品との関係はなく、単独でカウンターの構造が形成されるものであるが、上記鏡等の他の製品の前面やそれらのものに連結して取り付けることはできなかったし、ブラケットとカウンターとが予め一対として形成されており、カウンターの奥行きや幅を自由に変更することは困難であった。
【０００４】
また、上記従来の鏡と一体形式のもの或いは該ブラケット形式のものは、前者にあっては鏡等とカウンターとの当接部分、後者にあってはカウンターと壁面との当接部分或いは該ブラケットとカウンターとの接触部分に水や塵が溜まり、当該部分の汚れの原因となっていた。
【０００５】
当該部分の汚れを防止するためには、カウンターを鏡面や壁面より離す必要があるが、そのためにはカウンターを壁面より離隔固定するための他の手段が必要であった。
ブラケットの壁面への取り付け金具を壁面とカウンターとの間に配設して間隙を形成することも可能であるが、該取り付け金具の厚み分のみの間隙であり、水や塵等を逃すには小さな間隙であり、また、その間隙の調節もできなかった。
【０００６】
また、下方からカウンターを支持する形態の場合、該ブラケットの上面全体がカウンターの下面と当接し、当該部分が支持面となるため、カウンターとブラケットとの当接部分が多く、上記多くの汚れの原因となるばかりでなく、その部分を平滑に形成し、全体が水平を維持する精度に形成する必要があった。
【０００７】
【発明が解決しようとする課題】
本発明は、上記問題点であるカウンターの奥行きや幅を自由に変えることができるようにしたこと、ブラケットとカウンター及び壁面や鏡面とカウンターとの接触部分に水や塵が溜まり当該部分が汚れることを防止すること、及びカウンターを安定的に支持することができること等を解決したものである。
【０００８】
【課題を解決するための手段】
本発明は、上記従来技術の問題点に鑑みてなされたもので、具体的な構成は以下に示すとおりである。
具体的な構成１は、壁面、或いは鏡面等から前方へ略水平に固定された棒状部材、該棒状部材上に、カウンター載置具を介し、棒状部材及び壁面等に対し間隔を設けてカウンター取り付けてなることを特徴するものである。
【０００９】
具体的な構成２は、棒状部材は、壁面等に固定するための固定手段と、カウンター載置具を取り付ける貫通孔を設けた凹部からなることを特徴とするものである。
【００１０】
具体的な構成３は、棒状部材に設けた凹部に、凹部の形状に合致した断面形状の柱状体からなるカウンター載置具を嵌合或いは螺合し、棒状部材の凹部、カウンター載置具、及びカウンターの夫々に設けた貫通孔を貫通する固定具と、カウンターの貫通孔に嵌入される被覆部材とにより、カウンターを固定してなることを特徴とするものである。
【００１１】
具体的な構成４は、カウンターの奥行きに応じて適宜長さの棒状部材が採用され、その各々には凹部が１箇所から数箇所必要に応じて形成され、該凹部に対応してカウンターに貫通孔を形成してなることを特徴とするものである。
【００１２】
具体的な構成５は、被覆部材は、断面ハット型状からなり、その中央部には螺着部が形成され、蓋となる上面板はその周囲から突出した鍔部が形成され、該鍔部の裏面側をカウンターの表面に当接するようにしてカウンターの貫通孔内に嵌入してなることを特徴とするものである。
具体的な構成６は、カウンターを縦方向に固定し、スクリーン部材として使用してなることを特徴とするものである。
【００１３】
【発明の実施の形態】
以下、図面に基づいて本発明の実施の形態につき、詳細に説明する。
【００１４】
実施形態１
図１ないし図３は、本発明の一実施形態で、図１はカウンターの構造を分解した一部断面側面図を示し、図２は同組み立てた一部断面側面図、図３は、同正面図である。
【００１５】
カウンターの構造１は、壁面Ａ等へ固定をするための固定手段２、該固定手段２より略水平に前方へ突出した棒状部材３、該棒状部材３の上部側に形成された適数個の凹部４、該凹部４に嵌合或いは螺合されるカウンター載置具５、該カウンター載置具５上に該凹部４と上下に一致する位置に適数個の貫通孔６を形成したカウンター７、該貫通孔６に挿入された該カウンター載置具５の露出した上面側をカウンター７の表面側より覆う被覆部材８、該棒状部材３の上記凹部４と貫通孔９を通じて連通されている凹部１０及び該上下の凹部４、１０間の貫通孔９を通じ該カウンター載置具５及び被覆部材８とを連結する固定具１１とより構成されている。
【００１６】
上記固定手段２は、帯状短尺部材とされ、水平方向に延出するようにして壁面Ａにビス等により固定される。その略中央部には棒状部材３を固定するための凹部、或いは固定手段２と一体的に棒状部材３が形成され、固定手段２と棒状部材３とが連結されている。
【００１７】
該棒状部材３は、丸棒、角棒等様々な断面形状のものが使用され、その適宜箇所に適数個の凹部４が形成される。図４ないし図６はカウンター７の奥行きが各々５０ｍｍ、１５０ｍｍ及び３００ｍｍのものを示しており、そのカウンター７の奥行きに応じて適宜長さの棒状部材３が採用され、その各々には該凹部４が１箇所から数箇所必要に応じて形成されている。これらの数量や形成場所は適宜調整することが可能である。
該凹部４は円形或いは角型形等様々な形状とされ、カウンター載置具５が嵌着される。円形の場合等は螺合によることも可能である。
【００１８】
上記カウンター載置具５は、上記した凹部４の形状に合致した断面形状の柱状体とされ、上記のように嵌合或いは螺合により該凹部４に装着される。嵌合の場合はその外周部に凹凸を形成しておくことにより該凹部との嵌合状態が強力となる。また、螺合の場合はその周囲に連続溝が形成される。
該カウンター載置具５の中心部には貫通孔１２が形成されている。
【００１９】
カウンター７は、上記したように、その奥行き、及び幅は適宜選択することが可能である。該カウンター７の材質も適宜なものが使用され、ガラス板、アクリル等の樹脂板、天然石、人工大理石等のものが使用される。
また、カウンター７の大きさの奥行きの最適例としては５０ｍｍから３５０ｍｍのものが使用される。
【００２０】
被覆部材８は、断面ハット型状とされ、その中央部には螺着部１３が形成され、蓋となる上面板はその周囲から突出した鍔部１４が形成され、該鍔部１４の裏面側をカウンター７の表面に当接するようにして貫通孔６内に嵌入されることになる。
【００２１】
該貫通孔６内に嵌入された被覆部材８の嵌入先端部側は、該カウンター載置具５の先端部と係合或いは螺合して両者を連結することができる。また、両者を当接状態としておくことも可能である。
【００２２】
上記した構成により、カウンター７の下方部に位置する棒状部材３の凹部１０側から挿入した固定具１１を貫通孔９を通過させ、上方の凹部４に嵌入配設されているカウンター載置具５の中心部に形成された貫通孔１２を下方より通過させ、カウンター７の貫通孔６に嵌入された被覆部材８の中心部に形成された螺着部１３へ到達させ、当該箇所で螺合される。
上記固定具１１による取り付けは、被覆部材８を上方から回転させること或いは固定具１１を下方から回転させることのいずれでも可能である。
【００２３】
上記実施例において、図２に示すように、壁面Ａとカウンター７との間に間隙Ｓを形成している。上記間隙Ｓは適宜寸法を採用することが可能であるが、少なくとも壁面或いは鏡面からの汚れがカウンター７の表面側へ移動することのないような間隙Ｓとする必要がある。最適例としては約１１ｍｍ程度が良好である。上記間隙Ｓの寸法は、棒状部材３の凹部４の位置或いはカウンター７の貫通孔６の位置を定めることにより適宜な長さとすることが可能となる。
【００２４】
実施形態２
図４ないし図６は、鏡１５を壁面Ａに取り付けた実施例で、該鏡１５の鏡受け具１６の下端縁部に設けた切り欠き部１７にカウンター７の壁側端縁部を当接させることによりカウンター７の設置位置を壁面より離隔した状態で確定している。
上記実施例により、鏡１５とカウンター７とが一体となったようにカウンター７を取り付けることが可能となる。
【００２５】
実施形態３
図７は、鏡１８を壁面Ａに取り付けた実施例で、該鏡１８の鏡受け具１９の下部側に壁面より離隔して本発明のカウンター構造を取り付けた正面図を示している。棒状部材３を適数個併設することにより該カウンターの横幅を自由に変えることが可能である。
【００２６】
上記実施形態２、３において、鏡受け具１６、１９に水抜き孔を形成しておくことにより、鏡１５、１８に付着した水や塵等がカウンター７側へ移動することなく排出させることができる。
【００２７】
実施形態４
図８、図９は、カウンターを上下２段に設けた他の実施例を示す側面図及び正面図を示す。
【００２８】
上記実施例に示すように、カウンター２０、２１は壁面より離間して構成されているので、鏡２２の下部側の位置に設けたカウンター２０の他、カウンター２１のように、鏡２２の前面を横切るようにして設けることが可能となる。
【００２９】
当該鏡２２の前面に設ける場合、カウンター２１の端部が鏡２２より離間して形成されているので、該鏡２２とカウンター２１とが当接することがなく、鏡２２を痛めることがないことは勿論のこと、カウンター２１或いは鏡２２の汚れが互いに相手方に移動することがない。
また、壁面Ａとカウンター２０、２１も当接していないので、相互の汚れが移動することもない。
【００３０】
実施形態５
図１０、図１１は、カウンターを上下３段に設けた他の実施例を示す側面図及び正面図を示す。
【００３１】
上記実施例と同様に、カウンター２３、２４、２５は壁面より離間して構成されているので、鏡２６の下端部側の位置に設けたカウンター２３の他、カウンター２４のように、鏡２６の前面を横切るようにして設けることが可能となる。
【００３２】
また、壁面の適宜位置に他のカウンター２５を設け、上下３段に渡ってカウンターを設けることができる。当該鏡２２の前面に設ける場合、上記同様、鏡２６とカウンター２４とが当接することがないので、鏡２６を痛めることはなく、カウンター２４或いは鏡２６の汚れが互いに相手方に移動することがない。
同様に、壁面Ａとカウンター２３、２４、２５も当接していないので、相互の汚れが移動することもない。
【００３３】
実施形態６
図１２、１３は、カウンターに変えて縦方向スクリーン２７を設けた実施例の正面図及び側面図を示している。
【００３４】
本実施例では、収納棚等の側面側を隠ぺい或いは防護するためにスクリーン２７を設けているが、該スクリーン２７の取り付けは、上記実施例と同様、壁面等へ固定をするための固定手段２８、該固定手段２８より前方へ略水平に突出した棒状部材２９、該棒状部材２９に形成された適数個の凹部、該凹部に嵌合或いは螺合されるスクリーン取付具３０、該スクリーン取付具３０に固定されるスクリーン２７、該スクリーン取付具３０の先端側を覆う被覆部材３１、該棒状部材２９に形成され該凹部に設けられた貫通孔を通じ該被覆部材３１と螺着される固定具とより構成されている。
本実施例は、上記実施形態１ないし５のものを縦方向に使用したもので、その構造はそれらのものと同様のものである。
【００３５】
【発明の効果】
本発明は、カウンターをその下方部に位置した支持部材となる棒状部材より離隔して取着したので、カウンターの汚れを防止することができ、且つ掃除等のメンテナンスを行うことが容易となった。
また、カウンター自体もその取り付けられる壁面より離隔して取着されるので、壁面や鏡面の汚れが直接カウンター面に移ることがなく、逆にカウンターの汚れが壁面や鏡面に移動することもなく、且つ両者によって隅部が形成されることがないので、汚れを有効的に防止することが可能となった。その結果、汚れが目だつ透明なカウンターを積極的に利用することが可能となった。
更に、支持部材をカウンターの下部側に設けたので、該カウンターの上面が有効的に利用することが可能となった。
【００３６】
また、鏡一体型のカウンターと鏡別体型のカウンターとを並存させることができるし、カウンターの設置段数も必要に応じて自由に設定することが可能となった。
また、支持部材の長さ及び数量を適宜選択することによりカウンターの奥行き及び幅を自在に変更することが可能となった。
【図面の簡単な説明】
【図１】本発明のカウンターの構造を分解した一部断面側面図である。
【図２】本発明のカウンターの構造を組み立てた一部断面側面図である。
【図３】本発明のカウンターの構造を組み立てた正面図である。
【図４】本発明のカウンターの構造の鏡との関係を示した一部断面側面図である。
【図５】本発明のカウンターの構造の鏡との関係を示した他の実施例の一部断面側面図である。
【図６】本発明のカウンターの構造の鏡との関係を示した他の実施例の一部断面側面図である。
【図７】本発明のカウンターの構造の鏡との関係を示した正面図である。
【図８】本発明のカウンターの構造の鏡との関係を示した他の実施例の側面図である。
【図９】本発明のカウンターの構造の鏡との関係を示した他の実施例の正面図である。
【図１０】本発明のカウンターの構造の鏡との関係を示した他の実施例の側面図である。
【図１１】本発明のカウンターの構造の鏡との関係を示した他の実施例の正面図である。
【図１２】本発明のカウンターの構造の他の実施例の正面図である。
【図１３】本発明のカウンターの構造の他の実施例の側面図である。
【符号の説明】
１・・・カウンターの構造
２・・・固定手段
３・・・棒状部材
４・・・凹部
５・・・カウンター載置具
６・・・貫通孔
７・・・カウンター
８・・・被覆部材
９・・・貫通孔
１０・・・凹部
１１・・・固定具
１２・・・貫通孔
１３・・・螺着部
１４・・・鍔部
１５・・・鏡
１６・・・鏡受け具
１７・・・切り欠き部
１８・・・鏡
１９・・・鏡受け具
２０、２１・・・カウンター
２２・・・鏡
２３、２４、２５・・・カウンター
２６・・・鏡
２７・・・スクリーン
２８・・・固定手段
２９・・・棒状部材
３０・・・スクリーン取付具
３１・・・被覆部材
【図１】
2004024773.tif 000003
【図２】
2004024773.tif 000004
【図３】
2004024773.tif 000005
【図４】
2004024773.tif 000006
【図５】
2004024773.tif 000007
【図６】
2004024773.tif 000008
【図７】
2004024773.tif 000009
【図８】
2004024773.tif 000010
【図９】
2004024773.tif 000011
【図１０】
2004024773.tif 000012
【図１１】
2004024773.tif 000013
【図１２】
2004024773.tif 000014
【図１３】
2004024773.tif 000015